(57)【要約】【課題】  ユーザの好みに合わせた方向の検索が可能な受信装置を提供する。【解決手段】  方向検索設定部１００は、複数のスライドスイッチを含み、（１）自動方向検索が「オン」に、（２）おすすめ方向検索が「オン」に、それぞれ設定されている。方向検索設定部１００に含まれるスライドスイッチのオンオフに応じて選局時の方向設定等を行なうことにより、ユーザの好みに合わせた方向の検索が可能となる。【選択図】        図２
2006042130.tif 000002
【特許請求の範囲】
【請求項１】
受信方向の切り換えが可能なアンテナに対して該受信方向を指定して放送信号を受信する受信装置であって、
選局時の方向検索設定を選択する方向検索設定部と、
前記方向検索設定部の設定に応じて方向検索を行なう制御部とを備え、
前記方向検索設定部は、選局時の各種方向検索設定をそれぞれ選択する複数のスライドスイッチを含み、
前記制御部は、
前記方向検索設定部のポートを介して所定時間毎に該方向検索設定部の選択情報を読み出す処理部と、
前記選択情報を記憶する記憶部とを含み、
前記処理部は、前記方向検索設定部の自動方向設定がオンでないとき、前記記憶部に予め記憶された方向で検索を行ない、自動方向設定がオンのとき、おすすめ方向設定がオンかどうかを判定する第１の処理手段と、
前記方向検索設定部のおすすめ方向設定がオンのとき、おすすめ方向を選んでスキャンし、おすすめ方向設定がオンでないとき、全方向にスキャンを行なう第２の処理手段とを含む、受信装置。
【請求項２】
受信方向の切り換えが可能なアンテナに対して、リモコン装置から該受信方向を指定して放送信号を受信する受信装置であって、
前記リモコン装置は、選局時の方向検索設定を選択する方向検索設定部を有し、
前記リモコン装置から所定時間毎に送信される、前記方向検索設定部の選択情報を含むリモコンコードを受信するリモコン受信部と、
前記リモコンコードの設定に応じて方向検索を行なう制御部とを備え、
前記方向検索設定部は、選局時の各種方向検索設定をそれぞれ選択する複数のスライドスイッチを含み、
前記制御部は、
前記リモコンコードに含まれる前記選択情報を記憶する記憶部と、
前記記憶部から読み出される前記選択情報に基づいて選局を行なう処理部とを含み、
前記処理部は、前記方向検索設定部の自動方向設定がオンでないとき、前記記憶部に予め記憶された方向で検索を行ない、自動方向設定がオンのとき、おすすめ方向設定がオンかどうかを判定する第１の処理手段と、
前記方向検索設定部のおすすめ方向設定がオンのとき、おすすめ方向を選んでスキャンし、おすすめ方向設定がオンでないとき、全方向にスキャンを行なう第２の処理手段とを含む、受信装置。
【請求項３】
受信方向の切り換えが可能なアンテナに対して該受信方向を指定して放送信号を受信する受信装置であって、
選局時の方向検索設定を選択する方向検索設定部と、
前記方向検索設定部の設定に応じて方向検索を行なう制御部とを備え、
前記制御部は、
前記方向検索設定部のポートを介して所定時間毎に該方向検索設定部の選択情報を読み出す処理部と、
前記選択情報を記憶する記憶部とを含み、
前記処理部は、前記方向検索設定部の自動方向設定がオンでないとき、前記記憶部に予め記憶された方向で検索を行ない、自動方向設定がオンのとき、おすすめ方向設定がオンかどうかを判定する第１の処理手段と、
前記方向検索設定部のおすすめ方向設定がオンのとき、おすすめ方向を選んでスキャンし、おすすめ方向設定がオンでないとき、全方向にスキャンを行なう第２の処理手段とを含む、受信装置。
【請求項４】
受信方向の切り換えが可能なアンテナに対して、リモコン装置から該受信方向を指定して放送信号を受信する受信装置であって、
前記リモコン装置は、選局時の方向検索設定を選択する方向検索設定部を有し、
前記リモコン装置から所定時間毎に送信される、前記方向検索設定部の選択情報を含むリモコンコードを受信するリモコン受信部と、
前記リモコンコードの設定に応じて方向検索を行なう制御部とを備え、
前記制御部は、
前記リモコンコードに含まれる前記選択情報を記憶する記憶部と、
前記記憶部から読み出される前記選択情報に基づいて選局を行なう処理部とを含み、
前記処理部は、前記方向検索設定部の自動方向設定がオンでないとき、前記記憶部に予め記憶された方向で検索を行ない、自動方向設定がオンのとき、おすすめ方向設定がオンかどうかを判定する第１の処理手段と、
前記方向検索設定部のおすすめ方向設定がオンのとき、おすすめ方向を選んでスキャンし、おすすめ方向設定がオンでないとき、全方向にスキャンを行なう第２の処理手段とを含む、受信装置。
【請求項５】
前記方向検索設定部は、選局時の各種方向検索設定をそれぞれ選択する複数のスライドスイッチを含む、請求項３または４に記載の受信装置。
【請求項６】
前記処理部は、前記第１および第２の処理手段の少なくとも一方をオン・スクリーン・ディスプレイで行なうかどうかを判定する第３の処理手段をさらに含む、請求項３または４に記載の受信装置。
【発明の詳細な説明】
【技術分野】
【０００１】
この発明は、受信装置に関し、より特定的には、受信方向の切換えが可能なアンテナから放送信号を受信する受信装置に関する。
【背景技術】
【０００２】
テレビ放送の信号（以下、放送信号と称する）のうち、地上放送の放送信号を受信するアンテナとして、単一の指向性を有する八木アンテナが一般的に用いられる。
【０００３】
八木アンテナは、指向性の方向が送信アンテナの方向と一致するように設置される。八木アンテナに限らず、一般に受信アンテナは家屋の屋根等に固定して設置される。よって複数の送信アンテナが点在する場合、設置された八木アンテナは指向性に応じた方向にある送信アンテナから送られる放送信号のみ受信することができる。
【０００４】
近年、選局に応じて放送信号の受信方向を切換えることが可能なアンテナ（以下、スマートアンテナと称する）が提案されている。スマートアンテナでは、選局時において放送信号の受信方向等に関する機能を細かく設定できることが望ましい。
【０００５】
特許文献１には、アンテナ指向性の自動調整を開始するための「サーチキー」が、テレビジョン受像機操作パネルおよび外部リモコン装置上に設けられていることが開示されている。
【０００６】
特許文献２には、自動アンテナ調整を開始する「自動アンテナ調整ボタン」がリモコンまたはテレビ前面の操作パネル上に設けられること、および、表示画面上に「機能選択メニュー」を表示することが開示されている。
【特許文献１】特開平６−１１３２２０号公報
【特許文献２】特開２００１−８６０１９号公報
【発明の開示】
【発明が解決しようとする課題】
【０００７】
ユーザの利便性の観点から、放送信号を受信する受信装置の多くは、テレビ放送に割当てられているチャンネル群から視聴可能なチャンネルを検索して受信可能なチャンネルを決定する、いわゆるオートスキャン機能を有している。特に、デジタルテレビ放送とアナログテレビ放送とが視聴可能な受信装置では、アナログテレビ放送のみ受信する場合よりも検索対象のチャンネル数が多くなる。よって、オートスキャン機能は、ユーザの利便性を向上する点で受信装置にとって今後さらに重要な機能となる。
【０００８】
しかしながら、ユーザにとっては、オートスキャン機能だけでなく、ユーザの好みに合わせた多様な設定ができる方がより好ましい。こうした設定は、メニュー画面によって行なうこともできるが、その場合、メニュー画面を新たに用意せねばならず、また、メニュー設定に手間がかかるという問題点があった。
【０００９】
それゆえに、この発明の目的は、ユーザの好みに合わせた方向の検索が可能な受信装置を提供することである。
【課題を解決するための手段】
【００１０】
この発明は、受信方向の切り換えが可能なアンテナに対して該受信方向を指定して放送信号を受信する受信装置であって、選局時の方向検索設定を選択する方向検索設定部と、方向検索設定部の設定に応じて方向検索を行なう制御部とを備える。方向検索設定部は、選局時の各種方向検索設定をそれぞれ選択する複数のスライドスイッチを含む。制御部は、方向検索設定部のポートを介して所定時間毎に該方向検索設定部の選択情報を読み出す処理部と、選択情報を記憶する記憶部とを含む。処理部は、方向検索設定部の自動方向設定がオンでないとき、記憶部に予め記憶された方向で検索を行ない、自動方向設定がオンのとき、おすすめ方向設定がオンかどうかを判定する第１の処理手段と、方向検索設定部のおすすめ方向設定がオンのとき、おすすめ方向を選んでスキャンし、おすすめ方向設定がオンでないとき、全方向にスキャンを行なう第２の処理手段とを含む。
【００１１】
この発明の別の局面によれば、受信方向の切り換えが可能なアンテナに対して、リモコン装置から該受信方向を指定して放送信号を受信する受信装置であって、リモコン装置は、選局時の方向検索設定を選択する方向検索設定部を有する。受信装置は、リモコン装置から所定時間毎に送信される、方向検索設定部の選択情報を含むリモコンコードを受信するリモコン受信部と、リモコンコードの設定に応じて方向検索を行なう制御部とを備える。方向検索設定部は、選局時の各種方向検索設定をそれぞれ選択する複数のスライドスイッチを含む。制御部は、リモコンコードに含まれる選択情報を記憶する記憶部と、記憶部から読み出される選択情報に基づいて選局を行なう処理部とを含む。処理部は、方向検索設定部の自動方向設定がオンでないとき、記憶部に予め記憶された方向で検索を行ない、自動方向設定がオンのとき、おすすめ方向設定がオンかどうかを判定する第１の処理手段と、方向検索設定部のおすすめ方向設定がオンのとき、おすすめ方向を選んでスキャンし、おすすめ方向設定がオンでないとき、全方向にスキャンを行なう第２の処理手段とを含む。
【００１２】
この発明の他の局面によれば、受信方向の切り換えが可能なアンテナに対して該受信方向を指定して放送信号を受信する受信装置であって、選局時の方向検索設定を選択する方向検索設定部と、方向検索設定部の設定に応じて方向検索を行なう制御部とを備える。制御部は、方向検索設定部のポートを介して所定時間毎に該方向検索設定部の選択情報を読み出す処理部と、選択情報を記憶する記憶部とを含む。処理部は、方向検索設定部の自動方向設定がオンでないとき、記憶部に予め記憶された方向で検索を行ない、自動方向設定がオンのとき、おすすめ方向設定がオンかどうかを判定する第１の処理手段と、方向検索設定部のおすすめ方向設定がオンのとき、おすすめ方向を選んでスキャンし、おすすめ方向設定がオンでないとき、全方向にスキャンを行なう第２の処理手段とを含む。
【００１３】
この発明の別の局面によれば、受信方向の切り換えが可能なアンテナに対して、リモコン装置から該受信方向を指定して放送信号を受信する受信装置であって、リモコン装置は、選局時の方向検索設定を選択する方向検索設定部を有する。受信装置は、リモコン装置から所定時間毎に送信される、方向検索設定部の選択情報を含むリモコンコードを受信するリモコン受信部と、リモコンコードの設定に応じて方向検索を行なう制御部とを備える。制御部は、リモコンコードに含まれる選択情報を記憶する記憶部と、記憶部から読み出される選択情報に基づいて選局を行なう処理部とを含む。処理部は、方向検索設定部の自動方向設定がオンでないとき、記憶部に予め記憶された方向で検索を行ない、自動方向設定がオンのとき、おすすめ方向設定がオンかどうかを判定する第１の処理手段と、方向検索設定部のおすすめ方向設定がオンのとき、おすすめ方向を選んでスキャンし、おすすめ方向設定がオンでないとき、全方向にスキャンを行なう第２の処理手段とを含む。
【００１４】
好ましくは、方向検索設定部は、選局時の各種方向検索設定をそれぞれ選択する複数のスライドスイッチを含む。
【００１５】
好ましくは、処理部は、第１および第２の処理手段の少なくとも一方をオン・スクリーン・ディスプレイで行なうかどうかを判定する第３の処理手段をさらに含む。
【発明の効果】
【００１６】
この発明によれば、ユーザの好みに合わせた方向の検索が可能となる。
【発明を実施するための最良の形態】
【００１７】
以下、この発明の実施の形態について図面を参照して詳しく説明する。なお、図中同一または相当部分には同一符号を付してその説明は繰り返さない。
【００１８】
［実施の形態１］
図１は、この発明の実施の形態１による受信装置１の概略的な構成を示した概略構成図である。
【００１９】
図１を参照して、実施の形態１の受信装置１は、アンテナ３０から放送信号を受信し、アンテナ３０に対して受信方向切換信号を出力する。また、受信装置１は、テレビ４０に対して映像信号および音声信号を出力し、リモコン４２から指令信号を受信する。アンテナ３０は、受信装置１から受信方向切換信号を受けて各アンテナ素子に対する励振を変化させて指向性を切換える。
【００２０】
アンテナ３０は、スマートアンテナであって、一例として複数のアンテナ素子を含む。各々のアンテナ素子の駆動が受信装置１の切換指示によって制御されることでアンテナ３０の受信方向が決定される。また、別の例として、たとえば、アンテナ３０はパルス信号である切換指示を受け、受けたパルス信号の数に応じて回転角度を変化させるステッピングモータを備える。なお、アンテナ３０が受信するテレビ放送は地上放送あるいは衛星放送のいずれであってもよい。
【００２１】
受信装置１は、制御部１０と、チューナ１６と、デジタルデコーダ１８と、アナログデコーダ２０と、ＭＰＥＧ（Moving Picture Experts Group）デコーダ２２と、受信方向切換部２４と、リモコン受信部２６とを備える。
【００２２】
制御部１０は、プログラムを実行するＣＰＵ（Central Processing Unit）１０ａと、実行されるプログラム、プログラム実行中のデータ、およびプログラム実行結果のデータを記憶するメモリ１０ｂとを含む。チューナ１６は、受信した放送信号の中から、制御部１０からの指令に応じて選択されたチャンネルに対応する放送信号を抽出して、デジタルデコーダ１８およびアナログデコーダ２０へ出力する。デジタルデコーダ１８は、チューナ１６から放送信号を受けて、映像および音声の信号であるＭＰＥＧ信号に復号し、そのＭＰＥＧ信号をＭＰＥＧデコーダ２２へ出力する。
【００２３】
ここで、デジタルテレビ放送信号は、たとえば、リード・ソロモン符号および畳み込み符号で符号化されて送信される。そのため、デジタルデコーダ１８は、上述の復号処理において誤り訂正ができる。この誤り訂正の処理過程において、デジタルデコーダ１８は、受信した放送信号の受信データ誤り率を演算し、その受信データ誤り率を制御部１０へ出力する。このとき、デジタルデコーダ１８は、受信した放送信号に含まれる所定のデータ数毎に誤り訂正を行うので、受信開始から１フレーム（１／３０秒）以内で受信データ誤り率の演算ができる。
【００２４】
なお、デジタルテレビ放送には、日本のＩＳＤＢ−Ｔ（Integrated Services Digital Broadcasting for Terrestrial）方式の他に、米国のＡＴＳＣ（Advanced Television Systems Committee）方式およびヨーロッパのＤＶＢ−Ｔ（Digital Video Broadcasting for Terrestrial）がある。いずれの方式においても、放送信号は符号化されて送信されるため、誤り訂正が可能であり、その処理過程において受信データ誤り率が演算できる。よって、デジタルデコーダ１８は、上述のいずれの方式を用いてもよい。
【００２５】
アナログデコーダ２０は、チューナ１６から放送信号を受けて、映像および音声の信号へ復号した後に、デジタル化した映像音声信号をＭＰＥＧデコーダ２２へ出力する。また、アナログデコーダ２０は、水平同期信号の捕捉の可否を制御部１０へ出力する。
【００２６】
ここで、アナログテレビ放送信号には、走査線の水平走査および垂直走査を制御するための水平同期信号および垂直同期信号が含まれている。アナログデコーダ２０は、映像信号の復号を行うために、水平同期信号および垂直同期信号を捕捉する必要がある。なお、水平同期信号は、垂直同期信号に対して十分に周波数が高い。そのため、水平同期信号は、垂直同期信号に比較して、ノイズ等の影響を受けやすい。つまり、水平同期信号を捕捉できたか否かで受信状態を判断することができる。
【００２７】
水平同期信号を捕捉するにあたり、アナログデコーダ２０は、受信した放送信号に対して、雑音除去処理、周波数分離処理、同期信号分離処理および整形増幅処理等を行う。それゆえ、受信開始から水平同期信号の捕捉までには、上述のデジタルデコーダ１８における受信データ誤り率の演算に比較して、多くの時間を要する。
【００２８】
なお、アナログテレビ放送は、日本や米国等のＮＴＳＣ（National System Committee）方式の他に、ドイツやイギリス等のＰＡＬ（Phase Alternation by Line）方式およびフランス等のＳＥＣＡＭ（Sequentiel Couleur a Memoire）方式があるが、いずれの方式においても放送信号に水平同期信号が含まれているため、水平同期信号の捕捉の可否により受信状態を判断できる。よって、アナログデコーダ２０は、上述のいずれの方式を用いてもよい。
【００２９】
ＭＰＥＧデコーダ２２は、制御部１０からの指令に応じて選択した、デジタルデコーダ１８またはアナログデコーダ２０から受けた信号を映像信号および音声信号に復号して外部へ出力する。受信方向切換部２４は、制御部１０からの指令に応じて、受信方向切換信号をスマートアンテナ３０へ出力する。リモコン受信部２６は、リモコン４２からの指令を受信して制御部１０へ出力する。ユーザは、所望の動作を行わせるためリモコン４２を用いて、指令を送信する。
【００３０】
以上のような受信装置１において、オートスキャン機能だけでなく、ユーザの好みに合わせた方向の検索が可能となる方向検索設定部１００の構成について以下に説明する。
【００３１】
図２は、ユーザの好みに合わせて選局時の方向検索を設定可能な方向検索設定部１００の構成の一例を示した模式図である。
【００３２】
図２を参照して、方向検索設定部１００は、複数のスライドスイッチを含み、（１）自動方向検索が「オン」に、（２）おすすめ方向検索が「オン」に、それぞれ設定されている。方向検索設定部１００は、受信装置１に設置されてもよいし、リモコン４２に設置されてもよい。実施の形態１では、方向検索設定部１００が受信装置１に設置された場合について説明する。
【００３３】
図３は、方向検索設定部１００が受信装置１に設置された場合における処理の流れを示したフロー図である。
【００３４】
図３を参照して、まず、ステップＳ１１において、受信装置１のポートを介して１００ｍｓ毎に方向検索設定部１００のスライドスイッチの状態を読み込む。なお、「１００ｍｓ」というのは一例であって、自由に設定可能である。次に、ステップＳ１２において、読み込んだスライドスイッチの状態をメモリ１０ｂに保存する。最後に、ステップＳ１３において、メモリ１０ｂから読み出されるスライドスイッチの選局時設定に基づいた選局を行ない処理が終了する。
【００３５】
図４は、方向検索設定部１００の設定状態に応じてどのような処理が行なわれるのかを示したフロー図である。
【００３６】
図４を参照して、まず、ステップＳ３１において、自動方向検索がオンかどうかを確認する。自動方向検索がオンでない場合、ステップＳ３２において、メモリ１０ｂに保持された方向で検索を行ない処理が終了する。自動方向検索がオンの場合、ステップＳ３３において、おすすめ方向検索がオンかどうかを確認する。よって、自動方向検索が常にオンのモデルであった場合、方向のデータをメモリ１０ｂに保存する必要がなくなるのでメモリ容量の節減になる。
【００３７】
ステップＳ３３のおすすめ方向設定がオンの場合、ステップＳ３４において、おすすめ方向のみを選んでスキャンを行ない処理が終了する。ステップＳ３３のおすすめ方向設定がオフの場合、ステップＳ３５において全スキャンを行ない処理が終了する。
【００３８】
なお、ステップＳ３１〜Ｓ３３の処理は、ＯＳＤ（On Screen Display）で確認することも可能である。ＯＳＤ表示を用いることにより、たとえば受信装置１の背面に方向検索設定部１００を設置した場合にも、ステップＳ３１〜Ｓ３３の処理を視覚的に確認することができる。
【００３９】
以上のように、実施の形態１によれば、方向検索設定部１００を受信装置１に設置して、方向検索設定部１００のスライドスイッチのオンオフに応じて選局時の方向設定等を行なうことにより、ユーザの好みに合わせた方向の検索が可能となる。
【００４０】
［実施の形態２］
実施の形態２では、方向検索設定部１００がリモコン４２に設置された場合について説明する。
【００４１】
図５は、方向検索設定部１００がリモコン４２に設置された場合における処理の流れを示したフロー図である。
【００４２】
図５を参照して、まず、ステップＳ２１において、リモコン４２から１００ｍｓ毎に送信されるリモコンコードをリモコン受信部２６において受信する。なお、「１００ｍｓ」というのは一例であって、自由に設定可能である。次に、ステップＳ２２において、受信したリモコンコードをメモリ１０ｂに保存する。最後に、ステップＳ２３において、メモリ１０ｂから読み出されるリモコンコードの選局時設定に基づいた選局を行ない処理が終了する。
【００４３】
方向検索設定部１００の設定状態に応じてどのような処理が行なわれるのかは、実施の形態１で示した図４と同様なので、ここでは説明を繰り返さない。
【００４４】
以上のように、実施の形態２によれば、方向検索設定部１００をリモコン４２に設置して、方向検索設定部１００のスライドスイッチのオンオフに応じて選局時の方向設定等を行なうことにより、ユーザの好みに合わせた方向の検索が可能となる。
【００４５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４６】
【図１】この発明の実施の形態１による受信装置１の概略的な構成を示した概略構成図である。
【図２】ユーザの好みに合わせて選局時の方向検索を設定可能な方向検索設定部１００の構成の一例を示した模式図である。
【図３】方向検索設定部１００が受信装置１に設置された場合における処理の流れを示したフロー図である。
【図４】方向検索設定部１００の設定状態に応じてどのような処理が行なわれるのかを示したフロー図である。
【図５】方向検索設定部１００がリモコン４２に設置された場合における処理の流れを示したフロー図である。
【符号の説明】
【００４７】
１  受信装置、１０  制御部、１６  チューナ、１８  デジタルデコーダ、２０  アナログデコーダ、２２  ＭＰＥＧデコーダ、２４  受信方向切換部、２６  リモコン受信部、３０  アンテナ、４０  テレビ、４２  リモコン、１００  方向検索設定部。
【図１】
2006042130.tif 000003
【図２】
2006042130.tif 000004
【図３】
2006042130.tif 000005
【図４】
2006042130.tif 000006
【図５】
2006042130.tif 000007